(57)【要約】【課題】  上下方向に隣り合う配線用遮断器の相互間における絶縁を確保するとともに、見栄えも向上する幹線分岐盤を提供する。【解決手段】  左右いずれか一方側に一次側端子１７ｂが向けられ、他方側に二次側端子１７ｃが向けられた複数の配線用遮断器１７が上下方向に並設された幹線分岐盤１において、上下方向に隣り合う配線用遮断器１７の隙間ｔに、一次側端子１７ｂの面と二次側端子１７ｃの面とのそれぞれに絶縁バリア取付け部４０ａが形成された絶縁バリア取付け具兼スぺーサ４０が介設されている。【選択図】  図２
2005073367.tif 000002
【特許請求の範囲】
【請求項１】
左右いずれか一方側に一次側端子が向けられ、他方側に二次側端子が向けられた複数の配線用遮断器が上下方向に並設された幹線分岐盤において、
上下方向に隣り合う配線用遮断器の隙間に、一次側端子の面と二次側端子の面とのそれぞれに絶縁バリア取付け部が形成された絶縁バリア取付け具兼スぺーサが介設されていることを特徴とする幹線分岐盤。
【請求項２】
上記絶縁バリア取付け具兼スぺーサの高さ寸法は、上記配線用遮断器の横幅寸法単位モジュールの整数倍に設定されている請求項１記載の幹線分岐盤。
【発明の詳細な説明】
【技術分野】
【０００１】
本発明は、配線用遮断器を有する幹線分岐盤に関する。
【背景技術】
【０００２】
一般に、幹線分岐盤は、左右いずれか一方側に一次側端子が向けられ、他方側に二次側端子が向けられた複数の配線用遮断器が上下方向に並設されている（例えば特許文献１照）。
【０００３】
上記配線用遮断器が短絡電流を遮断したときに、一次側端子側または二次側端子側に形成された排気口からイオン化されたガスが噴出する。このとき、上下方向に隣り合う配線用遮断器の一次側端子と二次側端子とに接続する裸導体や端子との間に短絡を生じたり、幹線分岐盤を構成する構成部材に地絡したりする事故が生じるおそれがある。
【０００４】
そこで、従来では、配線用遮断器の上下方向の隙間を広くしたり、裸導体や端子を絶縁チューブやテーピングで絶縁したり、配線用遮断器の間に絶縁バリアを挟持して取付けたりする対策が行われてきた。
【特許文献１】特開平５―３０８７０５号公報
【発明の開示】
【発明が解決しようとする課題】
【０００５】
しかしながら、配線用遮断器の隙間を広くすると、内部に異物が入り込みやすくなるとともに見栄えが悪くなる。また、絶縁テープ等で絶縁するには手間がかかる。さらに、電流容量の異なる配線用遮断器が上下方向に隣り合って並設されている場合には、配線用遮断器の横幅寸法が異なるので、配線用遮断器の間に絶縁バリアを挟持して取付けできないことがある。
【０００６】
本発明は、上記問題を解決するためになされたもので、上下方向に隣り合う配線用遮断器の相互間における絶縁を確保するとともに、見栄えも向上する幹線分岐盤を提供するものである。
【課題を解決するための手段】
【０００７】
上記課題を解決するために、本発明は、左右いずれか一方側に一次側端子が向けられ、他方側に二次側端子が向けられた複数の配線用遮断器が上下方向に並設された幹線分岐盤において、
上下方向に隣り合う配線用遮断器の隙間に、一次側端子の面と二次側端子の面とのそれぞれに絶縁バリア取付け部が形成された絶縁バリア取付け具兼スぺーサが介設されていることを特徴とする幹線分岐盤を提供するものである。
【０００８】
請求項２のように、上記絶縁バリア取付け具兼スぺーサの高さ寸法は、上記配線用遮断器の横幅寸法単位モジュールの整数倍に設定されている構成とすることが好ましい。
【発明の効果】
【０００９】
本発明によれば、上下方向に隣り合う配線用遮断器の隙間に、絶縁バリア取付け具兼スぺーサを介設したから、必要に応じて絶縁バリア取付け部に絶縁バリアを取付けると、上下方向に隣り合う配線用遮断器の一次側端子と二次側端子とに接続する裸導体や端子の間に、絶縁バリアを介在させることができる。
【００１０】
これにより、上下方向に隣り合う配線用遮断器の相互間における絶縁が確保され、裸導体部分や端子部分での短絡や地絡事故を未然に防止できて、安全性が高まるとともに、スぺーサ機能によって内部の雑物を目隠しできて見栄えが向上するようになる。
【００１１】
請求項２によれば、絶縁バリア取付け具兼スぺーサの高さ寸法を配線用遮断器の横幅寸法単位モジュールの整数倍に設定したから、定格電流フレームの変更等で配線用遮断器の横幅寸法が変更になったり、あるいは配線用遮断器を増設する場合でも、絶縁バリア取付け具兼スぺーサの枚数を増減しながら隙間に積み重ねて隙が生じないようにできるので、内部の雑物を目隠しできて見栄えが向上するようになる。
【発明を実施するための最良の形態】
【００１２】
以下、本発明を実施するための最良の形態について、図面を参照しながら詳細に説明する。
【実施例１】
【００１３】
図１は、保護パネル２，３を取付けた開放型幹線分岐盤１であり、（ａ）は平面図、（ｂ）は正面図、（ｃ）は右側面図である。図２は、保護パネル２，３を取外した開放型幹線分岐盤１であり、（ａ）は平面図、（ｂ）は正面図、（ｃ）は右側面図であり、図３は、図２（ｂ）の背面図である。
【００１４】
図４の平面断面図を参照すれば、幹線分岐盤１は、複数本（本実施例では４本）の縦フレーム５（Ａ〜Ｄ）と、各縦フレーム５（Ａ〜Ｄ）の上端を連結するパネル状上フレーム６と、各縦フレーム５（Ａ〜Ｄ）の下端を連結するパネル状下フレーム７とで構成された縦長長方形状の分岐盤本体８を備えている。
【００１５】
後側縦フレーム５Ｃ，５Ｄは、上・下フレーム６，７の後縁部と左右側縁部との角部分に位置するとともに、前側縦フレーム５Ａ，５Ｂは、上・下フレーム６，７の前縁部よりも奥まった左右側縁部に位置するようにしている。
【００１６】
上記分岐盤本体８の内部には、左側縦フレーム５Ａ，５Ｃと右側縦フレーム５Ｂ，５Ｄとの間で、前側縦フレーム５Ａ，５Ｂよりも後方に位置して、上下方向に延設された３相の母線１０（Ａ〜Ｃ）が設けられ、この各母線１０（Ａ〜Ｃ）は、それぞれ前後方向と左右方向とにずらして階段状に配設されている。
【００１７】
この各母線１０（Ａ〜Ｃ）の配設位置に対応する上フレーム６の下面と下フレーム７の上面には、図４および図５（ａ）の背面図、図５（ｂ）の側面図を参照すれば、各母線１０（Ａ〜Ｃ）毎に独立した絶縁性のＬ型のブラケット１１がボルト・ナット１２でそれぞれ固定されている。
【００１８】
上記各母線１０（Ａ〜Ｃ）は、左右一対の導電材１０ａ，１０ｂの間に上下方向のスリット（隙間）１０ｃを形成した状態で、上端部と下端部とが対応する上記ブラケット１１にそれぞれ後方から当てがわれて、各母線１０（Ａ〜Ｃ）の後面に嵌め込まれた回り止め金具２５で回り止めされたボルト２６は、上記スリット１０ｃから各ブラケット１１の貫通穴を挿通して前方に突出され、この突出したボルト２６に前方からナット２７をねじ込むことにより、各母線１０（Ａ〜Ｃ）の上端部と下端部とが各ブラケット１１にそれぞれ固定されるようになる。
【００１９】
上記各母線１０（Ａ〜Ｃ）には、電源側入口導体１５〔図２（ａ）参照〕がそれぞれ電気的に接続されている。
【００２０】
上記左右の前側縦フレーム５Ａ，５Ｂの前面には、それぞれ複数個（本実施例では左右各１１個）の配線用遮断器１７がスイッチ（操作部）１７ａを横向きに操作する状態で、上下方向に所定の隙間ｔを隔てて並設され、各配線用遮断器１７は、引っ掛け部１９およびねじ１９ａにて取付けられた取付け台１８（図４参照）を介して前側縦フレーム５Ａ，５Ｂの前面に固定ねじ（図示せず）でそれぞれ固定されている。
【００２１】
上記左前側縦フレーム５Ａの各配線用遮断器１７は、３箇所の一次側端子１７ｂが右側（内側）に向けられ、二次側端子１７ｃが左側（外側）に向けられるとともに、上記右前側縦フレーム５Ｂの各配線用遮断器１７は、３箇所の一次側端子１７ｂが左側（内側）に向けられ、二次側端子１７ｃが右側（外側）に向けられている。
【００２２】
上記左側の各配線用遮断器１７の各一次側端子１７ｂには、図４の平面視で逆Ｚ字状に折曲させた分岐導体２３Ｌの一端部がボルト２４でそれぞれ固定されて電気的に接続されるとともに、上記右側の各配線用遮断器１７の各一次側端子１７ｂには、図４の平面視でＺ字状に折曲させた分岐導体２３Ｒの一端部がボルト２４でそれぞれ固定されて電気的に接続されている。
【００２３】
上記左側の各配線用遮断器１７の各分岐導体２３Ｌの他端部は、対応する母線１０（Ａ〜Ｃ）にそれぞれ前方から当てがわれるとともに、上記右側の各配線用遮断器１７の各分岐導体２３Ｒの他端部は、対応する分岐導体２３Ｌの他端部にそれぞれ前方から当てがわれるようになる。
【００２４】
そして、各母線１０（Ａ〜Ｃ）の後面に嵌め込まれた回り止め金具２５で回り止めされたボルト２６は、上記スリット１０ｃから各分岐導体２３Ｌ，２３Ｒの他端部の貫通穴を挿通して前方に突出され、この突出したボルト２６に前方からナット２７をねじ込むことにより、各母線１０（Ａ〜Ｃ）に各分岐導体２３Ｌ，２３Ｒの他端部が固定されて電気的に接続されるようになる。
【００２５】
なお、具体的に図示しないが、各配線用遮断器１７の各二次側端子１７ｃには、負荷側の分岐線が圧着端子等を介してボルト２８（図４参照）でそれぞれ固定されて電気的に接続されている。
【００２６】
上記分岐盤本体８の前面側には、左右の配線用遮断器１７の内側面との間および上フレーム６の下面と下フレーム７の上面との間に嵌め込まれる第１保護パネル２が設けられ、この第１保護パネル２は、下縁部の位置決めピン３１を下フレーム７の上面に形成した位置決め穴（具体的に図示せず。）に差し込んだ状態で、上縁部が上フレーム６にボルト３０で着脱可能に固定されて、上記母線１０（Ａ〜Ｃ）と分岐導体２３Ｌ，２３Ｒと配線用遮断器１７の一次側端子１７ｂとの前面側を覆うようになる。
【００２７】
また、左右の配線用遮断器１７の外側面および上記上フレーム６の下面と下フレーム７の上面との間に嵌め込まれて、分岐盤本体８から側方に突出する左右の第２保護パネル３が設けられ、この各第２保護パネル３の上部と下部には、上フレーム６と下フレーム７に沿って、一段目の配線用遮断器１７の上方と１１段目の配線用遮断器１７の下方とを上記第１保護パネル２の側縁近傍まで延在する上下アーム部３ａ，３ｂがそれぞれ形成されている。
【００２８】
この各アーム部３ａ，３ｂの先端にはヒンジピン３ｃがそれぞれ設けられ、この各ヒンジピン３ｃを上記上フレーム６の下面と下フレーム７の上面とに形成したヒンジ穴（具体的に図示せず。）に差し込むことにより、第２保護パネル３が上フレーム６と下フレーム７とにヒンジピン３ｃにより開閉自在に支持されて、閉じ位置〔図１（ａ）の実線参照〕では、上記配線用遮断器１７の二次側端子１７ｃの前面側を覆うとともに、開き位置〔図１（ａ）の二点鎖線参照〕では、上記配線用遮断器１７の二次側端子１７ｃの前面側を開くようになる。この保護パネル３は、閉じ位置では、上フレーム６と下フレーム７とにボルト３２で固定される。
【００２９】
上記第１保護パネル２と第２保護パネル３は、各配線用遮断器１７のスイッチ（操作部）１７ａを操作可能に露出させた状態で分岐盤本体８の前面側を覆うものであり、１段目の配線用遮断器１７と第２保護パネル３の上アーム部３ａとの間、および１１段目の配線用遮断器１７と第２保護パネル３の下アーム部３ｂとの間は、ブランクカバー３３で覆われている。
【００３０】
一方、上記配線用遮断器１７は、本実施例では、上から１段目〜７段目は大容量タイプ、８，９段目は中容量タイプ、１０，１１は小容量タイプとしており、その横幅寸法Ｗ（図６参照）は、各配線用遮断器１７の容量に応じて、大容量タイプ＞中容量タイプ＞小容量タイプの順に狭く設定している。また、大容量タイプの７段目と中容量タイプの８段目との間の隙間と中容量タイプの９段目と小容量タイプの１０段目との間の隙間とは、上記隙間ｔの２倍（２ｔ）に設定している。
【００３１】
上記配線用遮断器１７の３箇所の一次側端子１７ｂと二次側端子１７ｃの各端子間のフランジ部１７ｄ，１７ｅには、図６（ｂ）に示すように、それぞれ側方に突出する絶縁バリア２０が取付けられ、この絶縁バリア２０の側方突出量は、各配線用遮断器１７の容量に応じて、大容量タイプ＞中容量タイプ＞小容量タイプの順に短く設定している。
【００３２】
そして、上下方向に隣り合う配線用遮断器１７の隙間ｔには、図６に詳細に示すように、一次側端子１７ｂの面と二次側端子１７ｃの面とのそれぞれに、凹溝状の絶縁バリア取付け部４０ａが形成された絶縁バリア取付け具兼スぺーサ４０が介設され、この絶縁バリア取付け具兼スぺーサ４０は、脚部４０ｂのボルト挿通穴４０ｃを利用して、上記前側縦フレーム５Ａ，５Ｂの前面にボルト（不図示）で固定されている。
【００３３】
上記絶縁バリア取付け具兼スぺーサ４０の絶縁バリア取付け部４０ａには、絶縁バリア４１を嵌め込んで取付けることができる。図６（ａ）（ｂ）は、それぞれ絶縁バリア４１を取付けた状態を示している。
【００３４】
上記のように構成した幹線分岐盤１によれば、上下方向に隣り合う配線用遮断器１７の隙間ｔに、絶縁バリア取付け具兼スぺーサ４０を介設したから、必要に応じて絶縁バリア取付け部４０ａに絶縁バリア４１を取付けると、上下方向に隣り合う配線用遮断器１７の一次側端子１７ｂに接続する分岐導体（裸導体）２３Ｌ．２３Ｒや二次側端子１７ｃに接続する負荷側の分岐線の圧着端子等の間にも、絶縁バリア４１を介在させることができる。
【００３５】
これにより、上下方向に隣り合う配線用遮断器１７の相互間における絶縁が確保され、分岐導体（裸導体）２３Ｌ，２３Ｒの部分や負荷側の分岐線の圧着端子等の部分での短絡や地絡事故を未然に防止できて、安全性が高まるとともに、スぺーサ機能によって内部の雑物を目隠しできて見栄えが向上するようになる。
【００３６】
因みに、電流容量の異なる配線用遮断器１７が上下方向に隣り合って並設されている場合には、図７に示した従来技術では、上側の大容量の配線用遮断器１７の下フランジ部１７ｆと下側の中容量の配線用遮断器１７の上フランジ部１７ｇとの長さが異なるので、両フランジ部１７ｆ，１７ｇの間に別体の絶縁バリアを挟持して取付けることができない。
【００３７】
これに対して、本実施例では、図７と同形態の図６（ｂ）に示したように、各フランジ部１７ｆ，１７ｇの長さに関係なく、上側の大容量の配線用遮断器１７と下側の中容量の配線用遮断器１７との間の隙間ｔに介設した絶縁バリア取付け具兼スぺーサ４０の絶縁バリア取付け部４０ａに絶縁バリア４１を取付けることができる。
【００３８】
また、上記絶縁バリア取付け具兼スぺーサ４０の高さ寸法ｔ１を配線用遮断器１７の横幅寸法単位モジュールの整数倍に設定すれば、定格電流フレームの変更等で配線用遮断器１７の横幅寸法Ｗが変更になったり、あるいは配線用遮断器１７を増設する場合でも、絶縁バリア取付け具兼スぺーサ４０の枚数を増減しながら隙間に積み重ねて隙が生じないようにできるので、内部の雑物を目隠しできて見栄えが向上するようになる。
【００３９】
ここで、配線用遮断器１７の横幅寸法単位モジュールは、例えば１５ｍｍに設定すれば、大容量の配線用遮断器１７の横幅寸法Ｗは、その７倍の１０５ｍｍとし、中容量の配線用遮断器１７の横幅寸法Ｗは、その６倍の９０ｍｍとし、小容量タイプ配線用遮断器１７の横幅寸法Ｗは、その５倍の７５ｍｍとする。また、絶縁バリア取付け具兼スぺーサ４０の高さ寸法ｔ１は、配線用遮断器１７の横幅寸法単位モジュールの整数倍、例えば１倍（１５ｍｍ）とする。
【００４０】
したがって、例えば、図１に示したように、大容量タイプの７段目の配線用遮断器１７と中容量タイプの８段目の配線用遮断器１７との間の隙間２ｔを例にとれば、この隙間ｔは２倍（ｔ＋ｔ）に設定しているから、２枚の絶縁バリア取付け具兼スぺーサ４０を介設すれば良い。このように、隙間２ｔのような場合には、絶縁バリア取付け具兼スぺーサ４０の高さ寸法ｔ１は、配線用遮断器１７の横幅寸法単位モジュールの整数倍である２倍（３０ｍｍ）としたものであっても良い。
【００４１】
また、中容量タイプの８段目の配線用遮断器１７を大容量タイプの配線用遮断器１７と交換すれば、隙間２ｔは隙間ｔに減少するので、１枚の絶縁バリア取付け具兼スぺーサ４０を介設すれば良いことになる。なお、絶縁バリア４１は、複数枚の絶縁バリア取付け具兼スぺーサ４０を介設してあっても、いずれか一方の絶縁バリア取付け具兼スぺーサ４０に取付ければ良い。
【００４２】
上記実施例は、分岐盤本体８の両側に配線用遮断器１７を設けたタイプであったが、分岐盤本体８のいずれか片側に配線用遮断器１７を設けたタイプであっても良い。
【図面の簡単な説明】
【００４３】
【図１】保護パネルを取付けた幹線分岐盤であり、（ａ）は平面図、（ｂ）は正面図、（ｃ）は右側面図である。
【図２】保護パネルを取外した幹線分岐盤であり、（ａ）は平面図、（ｂ）は正面図、（ｃ）は右側面図である。
【図３】図２（ｂ）の背面図である。
【図４】幹線分岐盤の平面断面図である。
【図５】母線の固定構造であり、（ａ）は背面図、（ｂ）は側面図である。
【図６】絶縁バリア取付け具兼スぺーサであり、（ａ）は斜視図、（ｂ）は上下位置の配線用遮断器の隙間に介設した状態の斜視図である。
【図７】従来の上下位置の配線用遮断器を示す斜視図である。
【符号の説明】
【００４４】
１      幹線分岐盤
８      分岐盤本体
１７    配線用遮断器
１７ｂ  一次側端子
１７ｃ  二次側端子
４０    絶縁バリア取付け具兼スぺーサ
４０ａ  絶縁バリア取付け部
ｔ      隙間
ｔ１    絶縁バリア取付け具兼スぺーサの高さ寸法
【図１】
2005073367.tif 000003
【図２】
2005073367.tif 000004
【図３】
2005073367.tif 000005
【図４】
2005073367.tif 000006
【図５】
2005073367.tif 000007
【図６】
2005073367.tif 000008
【図７】
2005073367.tif 000009